(57)【要約】【課題】従来の一般的なカッターナイフは、刃片単位を基準にした刃の出方しかできなかった。【解決手段】カッターナイフの刃を装着しているスライド本体部品から刃の装着機能を分離し、微動スライドとアジャスターを設けたもので、スライド本体には、アジャスターの軸部を嵌入するための軸入孔を設け、また、微動スライドをスライド移動可能に合体させ、微動スライドには、刃を装着させる刃替凸部とアジャスターのカム部を作動させるカム作動孔を設け、スライド本体の軸入孔に嵌入されたアジャスターの０度〜１８０度間回転により、アジャスターのカム部は微動スライドのカム作動孔で作動し、微動スライドの刃替凸部に装着された刃をホルダーの刃出先端から紙厚に対応する１枚切り、重ね切りに対応する適切な刃出方を微動調整できるようにし、さらに、ホルダーの刃出先端に切欠部を設け、刃先を可視しながら下書き線に沿った切断を容易にしている。【選択図】図２
2015009006.tif 000002
【特許請求の範囲】
【請求項１】
ホルダー内を刃片単位順毎に刃がスライド移動・固定するカッターナイフ機能に、スライド微動機能を有するように形成したもので、
スライド本体は、ホルダー内でのスライド移動の固定と解除機能以外に、微動スライドをスライド可能に合体し、アジャスターの軸部を嵌入する軸入孔を設け、
微動スライドは、アジャスターのカム部を受け入れるカム作動孔と刃を装着する刃替凸部を設け、
アジャスターは、回転可動のための軸部と回転作動をスライド微動に変換するカム部を設け、該アジャスターの軸部をスライド本体の軸入孔へ嵌入とカム部を微動スライドのカム作動孔で作動させる仕組みで、かつ、アジャスターによる回転調節０度の刃先出方０ミリメートルに設定のスライド移動固定毎の刃の刃先が、ホルダーの刃出口方向端の先中端と先下端を結ぶ線上域に含まれるように斜辺を形成している形態とで、該アジャスターを０度〜１８０度間回転することにより、微動スライドの刃替凸部に装着の刃を最小限〜最大限間でスライド微動する仕組みにしている１枚切り機能付カッターナイフ。
【請求項２】
ホルダーの刃出口方向端の斜辺で、先中端の下方近辺あたりに水平状の第１切り込み辺と、刃の刃先斜辺の一部が平行状に露出する第２切り込み辺とで形成する切欠部を設けている請求項１記載の１枚切り機能付カッターナイフ。
【発明の詳細な説明】
【技術分野】
【０００１】
本発明は、一般的なカッターナイフの機能に、ホルダーからの刃先の出方を微調整できるようにした１枚切り機能を持つ１枚切り機能付カッターナイフに関するものである。
【背景技術】
【０００２】
従来の一般的なカッターナイフは、ホルダーから押し出される刃の長さは刃片単位を基準に設定されたものが主流になっている（例えば、市販汎用製品。）。
【０００３】
また、紙等切断時に下敷きを必要としない１枚切り専用のカッターナイフで刃先をスライドレバーで調整するのがある（例えば、オルファ株式会社製の「キリヌーク」。）。
【０００４】
さらに、下書きラインに沿って、カーブなど自在に切断できる専用のカッターナイフがある（例えば、長谷川刃物株式会社製の「ＬＩＮＧ」。）。
【先行技術文献】
【特許文献】
【０００５】
【特許文献１】特開２０１０−２６４００４号
【発明の概要】
【発明が解決しようとする課題】
【０００６】
以上に述べた従来の一般的なカッターナイフでは、刃先の出方の調整は刃片単位を基準に設定されたものであり、また、下敷き不要の１枚切り専用のカッターナイフでは、刃先の出方は紙厚に合わせたものであり、カッターナイフとして、前者と後者の用途での機能による仕組みは全く異なったものであった。
【０００７】
本発明は、従来の一般的なカッターナイフの刃先の出方を刃片単位に基づくものに、刃先の出方を微調整できる１枚切り専用のカッターナイフの機能を附加することの利便性に着目し、それぞれの構造上の問題を解決し、実現することを目的とするものである。
【課題を解決するための手段】
【０００８】
本発明は上記目的を達成するために、ホルダー内を刃片単位順毎に刃がスライド移動・固定するカッターナイフ機能に、スライド微動機能を有するように形成したもので、スライド本体は、ホルダー内でのスライド移動の固定と解除機能以外に、微動スライドをスライド可能に合体し、アジャスターの軸部を嵌入する軸入孔を設け、微動スライドは、アジャスターのカム部を受け入れるカム作動孔と刃を装着する刃替凸部を設け、アジャスターは、回転可動のための軸部と回転作動をスライド微動に変換するカム部を設け、該アジャスターの軸部をスライド本体の軸入孔へ嵌入とカム部を微動スライドのカム作動孔で作動させる仕組みで、かつ、アジャスターによる回転調節０度の刃先出方０ミリメートルに設定のスライド移動固定毎の刃の刃先が、ホルダーの刃出口方向端の先中端と先下端を結ぶ線上域に含まれるように斜辺を形成している形態とで、該アジャスターを０度〜１８０度間回転することにより、微動スライドの刃替凸部に装着の刃を最小限〜最大限間でスライド微動する仕組みにしている。
【０００９】
また、第２課題解決の手段は、ホルダーの刃出口方向端の斜辺で、先中端の下方近辺あたりに水平状の第１切り込み辺と、刃の刃先斜辺の一部が平行状に露出する第２切り込み辺とで形成する切欠部を設けている。
【００１０】
上記第１の課題解決手段による作用は、通常のカッターナイフの機能以外に、アジャスターを０度から１８０度間を回転調整させることで、該アジャスターのカム部が微動スライドのカム作動孔で作動し、該微動スライドに設けられている刃替凸部に装着している刃を微動させることになり、１枚切りから重ね切りに対応する刃先の出方を最小限から最大限間の微動調整ができる。
【００１１】
また、第２の課題解決手段による作用は、ホルダーの刃出口方向端の斜辺に接する切欠部は、該斜辺の線上域にアジャスターの調整で最小限の０ミリメートルに設定した刃先と、刃先斜辺が一部露出した状態で可視できるので、アジャスターの回転調整による該刃先の微可動状況を確認しながら１枚切りの紙厚に対応する微調整が容易にでき、また、該刃先が見られることで下書きラインをなぞりながら１枚切りで切断もできる。
【発明の効果】
【００１２】
上述したように本発明の１枚切り機能付のカッターナイフは、一般的なカッターナイフの機能と、紙等の切断時に下敷きを必要としない刃先の出方を微調整できる１枚切り専用のカッターナイフの機能とを合わせ持つ利便性と経済性を高めたカッターナイフを提供できる。
【図面の簡単な説明】
【００１３】
【図１】本発明実施形態の１枚切り機能付カッターナイフで刃出方ゼロ時の正面図
【図２】同図１における正面図のＡ−Ａ断面図
【図３】同図２の断面図でのＢ−Ｂ部分断面図
【図４】同１枚切り機能付カッターナイフで１枚切り状態の刃出方最大時の正面図
【図５】同図４における正面図のＣ−Ｃ断面図
【図６】同図４の背面図の一部と、同図５の断面でのＤ−Ｄ部分断面図
【図７】同図５の断面図でのＥ−Ｅ拡大断面図
【図８】同図５の断面図でのＦ−Ｆ拡大断面図
【図９】同図５の断面図でのＧ−Ｇ拡大断面図
【図１０】（ａ）アジャスター７の拡大側面図、（ｂ）上図（ａ）の拡大下面図
【発明を実施するための形態】
【００１４】
以下、本発明の実施の形態を図１〜図９に基づいて説明する。
【００１５】
図７に示すように、スライド本体３にスライダー５と微動スライド６がそれぞれスライド可動するようになっており、また、図２に示すように、回転可能にアジャスター７の軸部７ａがスライド本体３の軸入孔３ａに篏入され、かつ、カム部７ｂが微動スライド６のカム作動孔６ｂで作動する仕組みで、スライド本体３、スライダー５、刃替凸部６ａを有する微動スライド６、アジャスター７が一体に合体している。なお、カム部７ｂは図１０（ｂ）に示すように、軸部７ａの外周に内接する円柱形状にしている。カム作動孔６ｂは図６の部分断面図に示すように、微動スライド６にカム作動孔６ｂの横両端間はカム部７ｂがノーギャップで挿入できるようにし、かつ、縦両端間はカム部７ｂがアジャスター７の回転による上下最大移動時でも可動可能に挿入できるように縦長孔に形成している。
【００１６】
図３に示すように、ホルダー１の横状開口部の上下端に、スライド本体３とスライダー５との合体境目溝間を差し込み、該上下端をガイドにしたスライド移動仕組みで、ホルダー１の開口部上端に設けられている刃２の刃片２ｂの個数分＋１個分の凹部１ａとスライド本体３に設置のＷ形バネ４の凸部４ａが噛み合ってスライド移動固定状態のものが、解除軸５ａを設けているスライダー５を前後にスライドさせることで、解除軸５ａが凸部４ａを下方へ移動させ凹部１ａとの噛み合いが解除されスライド移動を可能にしている。
【００１７】
また、図１に示すように、ホルダー１の先中端１ｃと先下端１ｄを結ぶ線上域に、アジャスター７の調整により最小限の０ミリメートルに設定のスライド移動固定毎の刃２の刃先２ａが含まれるように斜辺１ｅを形成し、該斜辺１ｅ上で該先中端１ｃの下方近辺あたりに水平状となる切り込み辺と、刃先斜辺２ｃの一部が平行状に露出する切り込み辺とで形成される切欠部１ｂを設けている。
【００１８】
以上、上記構成の動作を説明する。ホルダー１の凹部１ａとスライド本体３に設置のＷ形バネ４の凸部４ａとによって、刃２の出し入れのスライド移動を固定・解除をする一般的なカッターナイフ機能以外に、アジャスター７を０度―１８０度間回転させることで、カム作動孔６ｂに挿入されているカム部７ｂにより、微動スライド６を微動させ、刃替凸部６ａに装着の刃２の微動となる。具体的には、図１に示すように、アジャスター７の０度設定では、刃出方が斜辺１ｅ線上で０ミリメートルとなり、カム部７ｂの位置は図２に示すように、軸部７ａの軸心に対して後方向きになっている。また、図４に示すように、アジャスター７の１８０度設定では、斜辺１ｅに対して直角方向の刃先２ａの刃出方が最大となり、カム部７ｂの位置は図５に示すように、軸部７ａの軸心に対して前方向きになっている。例えば、最大刃出方を１ミリメートルになるようにすれば、０度〜１８０度の半回転で、刃先２ａの刃出方を０ミリメートル〜１ミリメートル間の微調整ができ、紙厚に対応する１枚切りに適切な刃先２ａを調整することができる。
【００１９】
また、図１、図４、図６に示すように、ホルダー１の刃出口方向端に設けられた切欠部１ｂはスライド微動による刃先２ａを可視できることから、１枚切りに適切な刃先２ａの出方の設定を容易にしている。
【００２０】
以上のように、本実施形態によればホルダー１の先端の切欠部１ｂで可視しながら、アジャスター７により刃先２ａの出方を微動調整することで下敷不要の１枚切り切断ができ、かつ、曲線などの下書ラインに沿った１枚切り切断をしやすくしている効果も得られるものである。
【符号の説明】
【００２１】
１    ホルダー
１ａ  凹部
１ｂ  切欠部
１ｃ  先中端
１ｄ  先下端
１ｅ  斜辺
２    刃
２ａ  刃先
２ｂ  刃片
２ｃ  刃先斜辺
３    スライド本体
３ａ  軸入孔
４    Ｗ形バネ
４ａ  凸部
５    スライダー
５ａ  解除軸
６    微動スライド
６ａ  刃替凸部
６ｂ  カム作動孔
７    アジャスター
７ａ  軸部
７ｂ  カム部
７ｃ  鍔部
【図１】
2015009006.tif 000003
【図２】
2015009006.tif 000004
【図３】
2015009006.tif 000005
【図４】
2015009006.tif 000006
【図５】
2015009006.tif 000007
【図６】
2015009006.tif 000008
【図７】
2015009006.tif 000009
【図８】
2015009006.tif 000010
【図９】
2015009006.tif 000011
【図１０】
2015009006.tif 000012